(57)【要約】【課題】搬送スクリューの回転軸、及び同極のマグネット対を配置した剥離領域が現像スリーブの回転軸よりも上側にある場合においても、ゴースト、搬送スクリュー目に対応した濃度ムラが発生することのない現像装置を提供する。【解決手段】現像スリーブに対して近距離側にある搬送スクリューの回転半径ｒ、現像スリーブの回転半径Ｒ、及び、それぞれの回転軸間の距離ｄが          ｒ＋Ｒ≦ｄ≦３ｒ＋Ｒの関係式を満たし、かつ、キャリアの形状係数ＳＦ値が１１０以下であり、表面にフッ素変性シリコーン樹脂またはフッ素変性アクリル樹脂がコーティングされた構成。【選択図】図２
2005352227.tif 000002
【特許請求の範囲】
【請求項１】
表面に静電潜像を形成する潜像担持体と、
トナーとキャリアからなる現像剤を前記潜像担持体に供給する現像スリーブと、前記現像スリーブの内部に設けられる、少なくとも１組の同極のマグネット対とを有し、前記マグネット対の同極同士を結ぶ前記現像スリーブ上の中点が現像装置内であって前記現像スリーブの回転軸よりも高い位置にある現像剤担持体と、
前記現像剤担持体と平行に配置された２個の現像剤搬送路のうち一方の第一現像剤搬送路と、
前記第一現像剤搬送路に設置され、前記現像剤を第一の方向に搬送する第一現像剤搬送手段と、
前記現像担持体に対し、前記第一現像剤搬送路よりも近距離側に位置する他方の第二現像剤搬送路と、
前記第二現像剤搬送路に設置され、回転軸が前記現像スリーブの回転軸よりも高い位置にあり、回転しながら前記現像剤を前記第一の方向とは逆の第二の方向に搬送するとともに、前記現像剤担持体に対して前記現像剤の供給及び剥離を行う第二現像剤搬送手段と、
を備え、
前記第二現像剤搬送手段の回転半径ｒ、前記現像スリーブの回転半径Ｒ、及び、それぞれの回転軸間の距離ｄが下記の（数１）の関係式を満たし、
かつ、前記キャリアは、その形状係数ＳＦ値が１００以上１１０以下であり、表面にフッ素変性シリコーン樹脂またはフッ素変性アクリル樹脂がコーティングされている、
ことを特徴とする現像装置。
【数１】
2005352227.tif 000011
【請求項２】
マグネット対の同極同士を結ぶ現像スリーブ上の中点における現像剤の搬送量が１ｇ／ｃｍ２／ｓ以上であることを特徴とする、特許請求の範囲第１項記載の現像装置。
【請求項３】
２ｋＶ／ｃｍの電界における体積抵抗が１×１０１０Ω・ｃｍ以下であるキャリアを用いることを特徴とする、特許請求の範囲第１項または第２項記載の現像装置。
【請求項４】
熱硬化性樹脂をバインダーとし内部に磁性体を分散した樹脂キャリアを用いることを特徴とする、特許請求の範囲第１項から第３項のいずれかに記載の現像装置。
【請求項５】
トナー表面形状係数ＳＦ値が１００以上１４０以下であることを特徴とする、特許請求の範囲第１項から第４項のいずれかに記載の現像装置。
【請求項６】
トナー中に滑剤としてステアリン酸亜鉛、ステアリン酸カルシウム、ステアリン酸アルミニウム、ステアリン酸マグネシウムの金属石けんを少なくとも一つ以上トナー中に含むことを特徴とする、特許請求の範囲第１項から第５項のいずれかに記載の現像装置。
【発明の詳細な説明】
【技術分野】
【０００１】
本発明は、複写機、プリンタ、ファクシミリ等の画像形成装置に用いられる現像装置に関するものである。
【背景技術】
【０００２】
従来、一様に帯電した感光体の外周面である原稿画像部を光走査して静電潜像を形成し、これを、着色樹脂であるトナーによって可視化する電子写真方式の画像形成装置は、高速の画像形成が可能であることからディジタル方式のプリンタや複写機などに広く採用されている。
【０００３】
近年、特にカラー化に対する要求が高まり、電子写真方式の画像形成装置においても、シアン、マゼンタ、イエローおよびブラックの４色のトナー像よりなるフルカラー画像形成装置が実現しており、なかでも高速印字に有利であるタンデム方式を採用したものの普及が著しく、主流となりつつある。
このタンデム方式は４色の画像形成ユニットを並列に配置するため装置が大型化するという欠点を有しているが、その欠点に対しては、現像剤がトナーのみである非磁性一成分現像方式を用いたシステムにおいて、感光体ドラムの配列ピッチを短くして装置の小型化を実現する構成が特許文献１に示されている。この構成では、感光体ドラムの周面にトナーを付着させ静電潜像の現像を行う現像ローラを、隣接上流の感光体ドラムのクリーニング部材の上方に配置させて感光体ドラム間のピッチを短くすることにより、狭ピッチ画像形成システムを実現している。
【０００４】
一方、現像方式としては、非磁性一成分現像方式の他に、磁性キャリアとトナーとから成る現像剤を用いた二成分現像方式も広く採用されており、高画質、低ランニングコストを実現できるという特長を有している。この方式では、現像剤を担持する現像スリーブの内部にマグネットを備えた現像ローラにより、現像剤を磁気ブラシの形で感光体ドラム表面に摺擦してトナーのみを感光体ドラム表面に移行させ、静電潜像の現像が行われる。
近年ますます高まる小型化、高画質化、低ランニングコスト化の要求に対して、これらの要求をすべて満足するために、発明者らは狭ピッチ画像形成システムに二成分現像方式を搭載した画像形成装置を開発した。
二成分現像方式においては、現像後に現像スリーブ表面に付着している現像剤の剥離を行う工程が重要であり、この現像後の現像剤剥離が不十分であると、トナーが消費された箇所と消費されていない箇所で現像剤のトナー濃度が異なる為、いわゆるゴースト（またはメモリー）と呼ばれる濃度ムラが発生してしまう。通常、この現像剤の剥離は現像スリーブ内のマグネットを奇数個とし、現像スリーブの回転軸よりも下側の位置に同極のマグネット対を設けて磁力が殆どゼロとなる剥離領域を作り、その領域で重力を用いて現像後の現像剤を自然落下させることにより剥離を行っている。その後、剥離された現像剤は剥離領域付近に設置された搬送スクリューにより搬送され、現像装置内を循環することにより所定のトナー濃度に再調整される。しかしながら、現像スリーブを隣接上流の感光体ドラムのクリーニング部材の上方に配置した狭ピッチ画像形成システムにおいては、現像スリーブ下方の領域には、隣接上流の感光体ドラムのクリーニング部材が近接しているため、自ずと同極のマグネット対を配置した現像剤の剥離領域も現像スリーブの回転軸より上側となってしまうため、重力を用いた剥離を行うことができず、ゴーストなどの濃度ムラが発生してしまう。この課題に対し、例えば特許文献２には、内部にマグネットを有した汲上ロールを現像スリーブ上の剥離領域付近に配置し、その磁力をもって現像後の現像剤の剥離を行う構成が記載されている。剥離された現像剤は、さらにもう１本の汲上ロールによって汲み上げられた後、スクリューを有した現像剤攪拌室に搬送され、トナー濃度の再調整とトナーの帯電が行われる構成となっている。
【特許文献１】特開２００１−３５６５４５号公報
【特許文献２】特開平１１−６５２４７号公報
【発明の開示】
【発明が解決しようとする課題】
【０００５】
しかしながら、同極のマグネット対を配置した現像剤の剥離領域が現像スリーブの回転軸より上側にある構成において、特許文献２のように、現像後の現像剤を内部に磁極を有した汲上ローラにより現像剤の剥離を行う場合、他に現像剤の攪拌を行う現像剤攪拌室等を設ける必要があり、現像装置が複雑化、大型化してしまうという課題がある。また、汲上ローラの内部にマグネットを必要とするため高コストとなり、装置重量も大きくなってしまう。
【０００６】
本発明は、以上の課題を解決するためのものであり、二成分現像方式を採用した狭ピッチ画像形成システムなどのような同極マグネット対を配置した剥離領域が現像スリーブの回転軸よりも上側にある構成においても、マグネットを有した汲上ローラ等を用いることなく、簡素な構成で現像剤の剥離が行うことができる高画質、小型、軽量、低コストの現像装置を提供することを目的とする。
【課題を解決するための手段】
【０００７】
この課題を解決するために、請求項１記載の発明は、表面に静電潜像を形成する潜像担持体と、トナーとキャリアからなる現像剤を前記潜像担持体に供給する現像スリーブと、前記現像スリーブの内部に設けられる、少なくとも１組の同極のマグネット対とを有し、前記マグネット対の同極同士を結ぶ前記現像スリーブ上の中点が現像装置内であって前記現像スリーブの回転軸よりも高い位置にある現像剤担持体と、前記現像剤担持体と平行に配置された２個の現像剤搬送路のうち一方の第一現像剤搬送路と、前記第一現像剤搬送路に設置され、前記現像剤を第一の方向に搬送する第一現像剤搬送手段と、前記現像担持体に対し、前記第一現像剤搬送路よりも近距離側に位置する他方の第二現像剤搬送路と、前記第二現像剤搬送路に設置され、回転軸が前記現像スリーブの回転軸よりも高い位置にあり、回転しながら前記現像剤を前記第一の方向とは逆の第二の方向に搬送するとともに、前記現像剤担持体に対して前記現像剤の供給及び剥離を行う第二現像剤搬送手段と、を備え、前記第二現像剤搬送手段の回転半径ｒ、前記現像スリーブの回転半径Ｒ、及び、それぞれの回転軸間の距離ｄが下記の（数１）の関係式を満たし、かつ、前記キャリアは、その形状係数ＳＦ値が１００以上１１０以下であり、表面にフッ素変性シリコーン樹脂またはフッ素変性アクリル樹脂がコーティングされている、ことを特徴とする現像装置を提供するものである。。
【０００８】
【数１】
2005352227.tif 000003
【０００９】
そして、請求項２記載の発明は、前記マグネット対の同極同士を結ぶ前記現像スリーブ上の中点における前記現像剤の搬送量が１ｇ／ｃｍ２／ｓ以上であることを特徴とするものである。
そして、請求項３記載の発明は、２ｋＶ／ｃｍの電界における体積抵抗が１×１０１０Ω・ｃｍ以下であるキャリアを用いることを特徴とするものである。
そして、請求項４記載の発明は、熱硬化性樹脂をバインダーとし内部に磁性体を分散した樹脂キャリアを用いることを特徴とするものである。
そして、請求項５記載の発明は、トナー表面形状係数ＳＦ値が１００乃至１４０であることを特徴とするものである。
そして、請求項６記載の発明は、トナー中に滑剤としてステアリン酸亜鉛、ステアリン酸カルシウム、ステアリン酸アルミニウム、ステアリン酸マグネシウムの金属石けんを少なくとも一つ以上トナー中に含むことを特徴とするものである。
【発明の効果】
【００１０】
本発明によると、二成分現像方式を採用した，狭ピッチ画像形成システム（複数の現像装置を有し、現像装置の間隔が狭く配置された画像形成システム）のような同極のマグネット対を配置した剥離領域が現像スリーブの回転軸よりも上側にある場合でも、内部にマグネットを有した汲上ローラなどを用いることなく簡素な現像装置構成で現像後の現像剤の十分な剥離を行い、ゴーストの発生を防止することができる。
また、搬送スクリューと現像スリーブ間の距離が短くなっても、搬送スクリューの回転によって生じる現像剤の圧力ムラが低減され、搬送スクリューの目による画像濃度ムラの発生を防止することができる。
以下、請求項１記載の発明による効果を詳細に説明する。
通常の重力による現像剤の剥離が行える構成では、搬送スクリューを現像スリーブに近づける必要はなく、むしろ、スクリュー目による濃度ムラを発生させないという観点から、搬送スクリューと現像スリーブの距離はできるだけ長く設定している。
【００１１】
これに対し、発明者らは、逆に、第二搬送スクリューと現像スリーブの距離を前述の範囲にしてスクリューへの現像剤の取り込みを確実に行い、除去搬送効果を高めて現像スリーブからの剥離性を向上させるというアプローチをとった。そして、新たに発生するであろうスクリュー目状の濃度ムラに対しては、以下に説明するようなキャリアの高流動性を利用することにより回避した。
【００１２】
一般的に、現像剤の流動性が悪い状態では、現像剤の滞留や凝集が発生しやすく、搬送スクリューのような搬送圧を加える物体の形状などの影響により現像剤の圧力が場所により不均一（圧力ムラ）となってしまう。搬送スクリューと現像スリーブの距離が短い場合は、現像スリーブとその圧力ムラが現像スリーブ上に伝わって現像剤の層厚ムラとなり、搬送スクリューの形状に対応した画像濃度ムラとして現れる。ただし、現像剤の流動性が悪い場合でも、搬送スクリューと現像スリーブの距離が十分に離れている場合は、圧力ムラが現像スリーブに到達する前に緩和され濃度ムラは発生しにくい。
【００１３】
ところが、低表面エネルギーで低摩擦係数を特長とするフッ素変性シリコーン樹脂またはフッ素変性アクリル樹脂をキャリア表面にコーティングした場合、キャリアの形状係数ＳＦ値が１１０を切るあたりから、急激に流動性が向上して流体としての特性を持つようになる。流体としての特性が強くなると、いわゆるパスカルの原理により、均一な現像剤の圧力の伝播が可能となり、搬送スクリューと現像スリーブの距離が近い場合でも搬送スクリューの形状による圧力ムラが発生することなく、均一な画像を得ることができる。
【００１４】
また、このようなキャリアを用いることにより、現像剤の流動性と離型性が向上し、キャリアの現像スリーブからの剥離性そのものも向上する。
【００１５】
以上に説明したようなゴーストの改善とスクリュー目による濃度ムラの回避は、搬送スクリューと現像スリーブの近距離化、および高流動性、高離型性キャリアそれぞれ単独の作用ではなく、双方の相乗効果によって初めて達成されるものである。
【００１６】
また、請求項２記載の発明によれば、現像剤の強い流れを剥離領域付近に形成することができ、剥離領域付近に現像剤が滞留することなく良好な現像剤の循環を行うことができるため、剥離領域で一旦剥離された現像後の現像剤が現像スリーブに再付着するのを防止することができる。さらに、剥離領域付近の現像スリーブに対する磁気的拘束力が低下した現像剤を上記の現像剤の流れに取り込むことによって、除去搬送効果が向上し、強い現像剤の剥離性を得ることができる。
【００１７】
請求項３記載の発明によれば、トナーとの摩擦帯電時に発生した電荷がキャリアに蓄積するのを防止することができ、その結果、現像スリーブへのキャリアの鏡像力が低減され、さらに良好な剥離性を得ることができる。また、搬送スクリューや現像装置内壁などの現像スリーブ以外の現像装置内各部材に対するキャリアの鏡像力も低減することができ、各部材付近での現像剤の滞留が防止できるので、スムーズな現像剤の循環を行うことができる。また、現像剤としての流動性が向上するため、第二搬送スクリューによる現像剤の圧力ムラもさらに低減される。
請求項４記載の発明によれば、キャリアの真球度と表面の平滑度が向上して流動性と離型性がさらに良好となり、現像スリーブに対する付着力が低減され良好な剥離性を得ることができる。また、流動性が向上することにより、第二搬送スクリューによる現像剤の圧力ムラもさらに低減される。
【００１８】
請求項５記載の発明によれば、トナーの真球度が高まることによって、トナーの流動性が向上し、キャリアの高流動性と相まって、現像剤としての流動性がさらに良好なものとなる。その結果、現像スリーブからの剥離性がさらに良好となる。また、第二搬送スクリューによる現像剤の圧力ムラもさらに低減される。加えて、トナーの高流動性によって、キャリアの表面コート剤の磨耗を防止し、現像剤の高い流動性を長期にわたって維持することができる。
【００１９】
請求項６記載の発明によれば、トナーが潤滑剤としての機能を発揮して、現像剤の流動性がさらに良好となり、現像スリーブからの剥離性がさらに向上する。また、第二搬送スクリューによる濃度ムラも低減される。加えて、潤滑剤の性質によりキャリアに対する柔らかな接触を実現できるためキャリアの表面コート剤の磨耗を防止し、現像剤の高い流動性を長期にわたって維持することができる。
【００２０】
以上より、高画質、小型、軽量、低コストの現像装置を実現することができる。
【発明を実施するための最良の形態】
【００２１】
以下、本発明の実施の形態について、添付図面に示す具体例に基づいて詳細に説明する。図１は本発明の実施の形態１における画像形成装置の概略を示す要部断面図であり、図２は画像形成ユニットの概略を示す要部断面図であり、図３は現像装置の概略を示す斜視図であり、図４は、図３の現像装置を矢印Ａ方向から示した要部断面図である。
【００２２】
（実施の形態１）
本発明の実施の形態１における画像形成装置は、図１に示すように感光体ドラム１Ｙ、１Ｍの間に、支持具２Ｙによって保持され上流側の感光体ドラム１Ｙの周面に接触して感光体ドラム１Ｙ表面に残存するトナーの除去を行うクリーニングブレード３Ｙを配置し、隣接下流の感光体ドラム１Ｍの周面にトナーを付着させる現像ローラ４Ｍを、その軸芯が支持具２Ｙの上方であって隣接上流の感光体ドラム１Ｙの軸芯から支持具２Ｙ側に傾斜する線分上に位置するように配置しており、他色の部材についても同様に配置している。このよう配置とすることにより、感光体ドラム１Ｙ、１Ｍ、１Ｃ、１Ｋ間のピッチを短くして、装置の小型化を実現している。
以下、マゼンタの現像装置８Ｍを用いて、その構成について説明するが、他の色の現像装置８Ｙ、８Ｃ、８Ｋについても同様であるので、それらの説明は省略する。感光体ドラム１Ｍは外径２４ｍｍの積層型有機感光体で、周速度１００ｍｍ／ｓで回転している。感光体ドラム１Ｍには、感光体ドラム１Ｍに従動回転しながら感光体ドラム１Ｍの帯電を行う帯電ローラ５Ｍ、及び、感光体ドラム１Ｍに形成されたトナー像を中間転写ベルト１１に転写する為の第一転写ローラ６Ｍが配置されている。帯電ローラ５Ｍは外径１０ｍｍで金属シャフトにエピクロルヒドリンゴムを形成したもの、第一転写ローラ６Ｍは外径１２ｍｍで金属シャフトに導電性ウレタンスポンジを形成したものを使用している。中間転写ベルト１１は電気抵抗が１×１０９Ω・ｃｍのポリカーボネートシートを使用した。
【００２３】
帯電ローラ５Ｍにより一様に帯電された感光体ドラム１Ｍ表面に、画像情報に応じてレーザー光（図示せず）を照射して静電潜像が形成された後、現像ローラ４Ｍによって現像域（現像ローラ４Ｍと感光体ドラム１Ｍとの間）に搬送された現像剤の磁気ブラシが静電潜像に摺擦され、トナーのみが感光体ドラム１Ｍの表面に移行しトナー像が形成される。レーザーパワーは２８０μＷで、帯電ローラ５Ｍには１．２ｋＶのＤＣ電圧が印加されており、感光体ドラム１Ｍの帯電電位Ｖ０と露光後電位ＶＬを測定したところ、それぞれ−６５０Ｖと−１００Ｖであった。現像ローラ４Ｍには、−５００ＶのＤＣ電圧に、周波数３ｋＨｚでピーク・トゥ・ピーク電圧が１．５ｋＶの矩形波のＡＣ電圧を重畳したバイアス電圧を印加している。
【００２４】
感光体ドラム上１Ｍに形成されたトナー像は、＋６００Ｖの電圧が印加された第一転写ローラ６Ｍにより、中間転写ベルト１１表面に転写される。以上の動作をイエロー、マゼンタ、シアン、ブラックの現像装置８Ｙ、８Ｍ、８Ｃ、８Ｋと感光体ドラム１Ｙ、１Ｍ、１Ｃ、１Ｋからなる画像形成ユニットについて行い、中間転写ベルト１１上に４色の合成トナー像を形成する。その後合成トナー像は記録紙トレイ９から搬送されてきた記録紙１０上に第二転写ローラ７により一括転写され、記録紙１０の排出経路上に設けられている定着器１２により、熱、圧力等の公知の手段により、記録紙１０表面に定着される。一方、トナー像の転写が終了した後のそれぞれの感光体ドラム１Ｍの表面は、ウレタンゴムをシート状に成形したクリーニングブレード３Ｍにより感光体ドラム１Ｍ表面に残存するトナーが除去され、これにより、画像形成の１サイクルが完了する。
【００２５】
以下、図２乃至図４を用いて、本発明の実施の形態１における現像装置について、現像装置８Ｍを用いてさらに詳細に説明する。以下の内容は、他の色の現像装置８Ｙ、８Ｃ、８Ｋについても同様である。
【００２６】
トナーは、ポリエステル樹脂８６重量％に各色の顔料を５重量％、離型剤カルナウバワックス６重量％、および、サルチル酸系亜鉛からなる電荷制御剤３重量％を予備混合、溶融混練し、粗粉砕後に微粉砕、分級し、体積平均粒径が７．１μｍの非磁性のトナー母体粒子を得た。このトナー母体粒子９８．５重量％に外添剤として疎水性シリカ１．０重量％と疎水性のチタニア０．５重量％を外添（混合）処理したものである。後述の（数２）にて算出されるトナーの形状係数ＳＦ値は１４８であった。
【００２７】
キャリアに関しては、実験結果も含めて後に詳細に説明する。
【００２８】
本実施の形態１にかかる現像装置は、図２に示すように、仕切り壁１３Ｍにより２個の現像剤搬送路に区画されており、仕切り壁１３Ｍによりも上側で現像ローラ４Ｍから遠距離側に位置する第一現像剤搬送路１４Ｍと、仕切り壁１３Ｍによりも下側で現像ローラ４Ｍから近距離側に位置する第二現像剤搬送路１５Ｍを備えている。第二現像剤搬送路１５Ｍには外側への張り出し部１６Ｍが形成されており、この張り出し部１６Ｍ内には、現像ローラ４Ｍが突出して設けられている。ここで、現像ローラ４Ｍは、表面粗さＲｚが５μｍの回転自在なアルミ製の現像スリーブ２６Ｍ内に、７個のマグネットを固定配置されたものから構成されている。これら７個のマグネットは、現像ローラ４Ｍと感光体ドラム１Ｍが近接する現像領域で磁力のピークが形成され、穂切り軸２５Ｍ周辺では磁力の谷間が形成されるように配置されている。本実施の形態では、現像領域にＮ極を配置して主極磁力を９５ｍＴとし、穂切り軸２５ＭをＳ極とＮ極で挟む構成とした。さらに第二現像剤搬送路１５Ｍが近接する領域には、現像後の現像剤の剥離を効果的に行えるように、Ｓ極同士を隣接させて磁力が殆どゼロとなる領域を設けている。この領域の磁力をできるだけゼロに近づけるためには、同極のマグネット間の距離をできるだけ大きくとることが重要である。この剥離領域における磁力を測定し、５ｍＴ以下の低磁力となっていることを確認した。
【００２９】
現像ローラ４Ｍの外径は１４ｍｍで、現像スリーブ２６Ｍは周速度１１４ｍｍ／ｓで感光体ドラム１Ｍの回転方向に対してウィズ方向に回転しており、感光体ドラム１Ｍに対して１．１４の周速度比を持つ。現像ローラ４Ｍと感光体ドラム１Ｍは対面するように配置され、現像ローラ４Ｍと感光体ドラム１Ｍのギャップは現像ローラ４Ｍの両サイドに設けられたコロ１８Ｍの径を変更することで調整できる。本発明の実施の形態１では現像領域での現像ローラ４Ｍと感光体ドラム１Ｍのギャップは０．４ｍｍに調整されている。
【００３０】
図２乃至図４に示すように、現像装置８Ｍの下側に位置する第二現像剤搬送路１５Ｍ内には、その軸方向に沿って延びる第二搬送スクリュー１７Ｍが設けられている。
【００３１】
現像スリーブ２６Ｍを隣接上流の感光体ドラム１Ｍのクリーニングブレード３Ｍの上方に配置した構成としているため、現像スリーブ２６Ｍ下方の領域には、隣接上流の感光体ドラム１Ｍのクリーニングブレード３Ｍが近接しており、その位置には第二搬送スクリュー１７Ｍを設置することができず、現像スリーブ２６Ｍの回転軸よりも上側の配置となる。このことから、現像後の現像剤を現像スリーブ２６Ｍから剥離させる為のＳ極のマグネット対を配置した剥離領域（Ｓ極同士を結ぶ中点Ｐ周辺）も、現像スリーブ２６Ｍの回転軸よりも高い位置となる。
さらに、現像装置８Ｍの第一現像剤搬送路１４Ｍ内には、やはり現像ローラ４Ｍの軸方向に沿って延びている第一搬送スクリュー１９Ｍが設けられている。また、図４に示すように、第二現像剤搬送路１５Ｍ内の第二搬送スクリュー１７Ｍと、第一現像剤搬送路１４Ｍ内の第一搬送スクリュー１９Ｍとは、現像ローラ４Ｍの軸方向に沿って互いに反対方向に現像剤を搬送するように、その羽根或いは回転方向が設定されており、例えば第一搬送スクリュー１９Ｍは、図４中の矢印Ｘの方向に現像剤の攪拌搬送を行い、第二搬送スクリュー１７Ｍは、図４中の矢印Ｙの方向に現像剤の搬送を行うように設定されている。
【００３２】
また、図４に示すように、現像装置８Ｍの長手方向の両端部には、第一現像剤搬送路１４Ｍと第二現像剤搬送路１５Ｍを連通する連通口２０Ｍ、２１Ｍが形成されている。第一搬送スクリュー１９Ｍの現像剤搬送方向（Ｘ方向）の先端部分に位置する連通口２０Ｍにおいては、仕切り壁１３Ｍに適切な大きさの開口が形成されており、この開口を介して、第一搬送スクリュー１９Ｍによって攪拌搬送されてきた現像剤が重力により、第一現像剤搬送路１４Ｍから第二現像剤搬送路１５Ｍ内に落下するようになっている。本発明の実施の形態では、２組の搬送スクリューによるトナーの循環が良好に行われるように、第一搬送スクリュー１９Ｍ、第二搬送スクリュー１７Ｍとも、外径、軸径、スクリューピッチ、回転数を、それぞれ１２ｍｍ、５ｍｍ、２５ｍｍ、１５０ｒｐｍとしている。
【００３３】
一方、第二搬送スクリュー１７Ｍの現像剤搬送方向（Ｙ方向）の先端部分に位置する連通口２１Ｍ上方には、前記第一搬送スクリュー１９Ｍ端部に連結される形で磁石ローラ２２Ｍが設置されている。この磁石ローラ２２Ｍは、その軸が前記第一搬送スクリュー１９Ｍの回転軸と同軸になるように連結されており、その外径を第一搬送スクリュー１９Ｍの外径と略一致させている。そして、図４に示すように、磁石ローラ２２Ｍを前記第一搬送スクリュー１９Ｍの回転と共に同方向に回転し、第二現像剤搬送路１５Ｍ内の現像剤を磁気ブラシの形で第一現像剤搬送路１４Ｍ内に汲み上げている。なお、本実施の形態における磁石ローラ２２Ｍは、フェライトや磁性粉含有プラスチックをローラ状に成形し、これにＮ極、Ｓ極をそれぞれ交互に（おおよそ９０°毎に）２極ずつ着磁したゴム磁石を使用している。また、その両端面には、ＳＵＳ４００系などの磁性部材（図示せず）を貼り付けてあり、現像剤が磁石ローラ２２Ｍの両端面に付着することと、それに伴う現像剤のつまりや滞留を防止している。
【００３４】
また、磁石ローラ２２Ｍの回転方向に対し、磁石ローラ２２Ｍと近接して分離板（図示せず）が、第一現像剤搬送路１４Ｍと一体的に形成されている。更に、この分離板はその分離面を、第一搬送スクリュー１９Ｍの回転軸方向に対し傾斜するように形成されている。これにより、分離面により磁石ローラ２２Ｍ上から分離された現像剤は、スムーズに第一搬送スクリュー１９Ｍ方向へ移動される。以上のような構成により、下側に位置する第二現像剤搬送路１５Ｍと上側に位置する第一現像剤搬送路１４Ｍとの間で現像剤の循環が行われる。
また、第一現像剤搬送路１４Ｍ内には、現像剤の透磁率から現像剤中のトナー濃度を検知するトナー濃度センサー２３Ｍが配置されおり、印字によりトナー濃度が減少した場合はトナー補給口２４Ｍよりトナーが補給されて、常に６％のトナー濃度となるようにコントローラされている。
第二現像剤搬送路１５Ｍ内の現像剤は、現像ローラ４Ｍからの磁界によって、回転する現像スリーブ２６Ｍ表面に付着して磁気ブラシを形成し、現像スリーブ２６Ｍ表面を転がりながら外径５ｍｍのアルミシャフトよりなる穂切り軸２５Ｍが設置してある箇所まで搬送される。磁気ブラシは穂切り軸２５Ｍを通過する際に、１ｍｍ程度の長さに調整された後に現像領域に到達し、感光体ドラム１Ｍに形成された静電潜像に応じて感光体ドラム１Ｍへトナーが移動し現像が行われる。なお、磁気ブラシの長さは、現像ローラ４Ｍと穂切り軸２５Ｍとの軸間距離を調整することによって変更することができる。
【００３５】
現像によってトナーが消費されてトナー濃度が減少した現像剤は、現像スリーブ２６Ｍの回転とともにＳ極同士のマグネット対を配置された剥離領域Ｐに搬送され、現像スリーブ２６Ｍに対する磁気的な拘束力から開放されるとともに、第二搬送スクリュー１７Ｍによって除去搬送された後、第一現像剤搬送路１４Ｍ及び第二現像剤搬送路１５Ｍ内を循環しながら６％のトナー濃度に再び調整される。
【００３６】
以上のような現像装置を用い、印字後の現像剤の剥離を行う為にマグネットを有した汲上ローラ等を用いることなく、剥離領域Ｐに近接させた第二搬送スクリュー１７Ｍの除去搬送効果を利用するという考えのもと、第二搬送スクリュー１７Ｍと現像スリーブ２６Ｍ間の距離ｄ、キャリアの形状係数ＳＦ値とコーティング材料をパラメータとして、ゴーストの評価を行った。また。第二搬送スクリュー１７Ｍと現像スリーブ２６Ｍ間の距離ｄを短くした場合に通常発生するスクリューの目による濃度ムラについても同時に評価を行った。
【００３７】
第二搬送スクリュー１７Ｍの回転軸と現像スリーブ２６Ｍの回転軸の距離ｄを可変とする構成とし、１５、２０、２５、３０、３５ｍｍと５水準変化させて実験を行った。また、キャリアについては体積平均粒径５０μｍのフェライトキャリアで、比重が５ｇ／ｃｃ、２ｋＶ／ｃｍの電界における体積抵抗が１×１０１４Ω・ｃｍ、７９．５８ｋＡ／ｍの磁場中における磁化が、６５Ａｍ２／ｋｇという条件下で、形状係数ＳＦ値を１０２、１１０、１２０、１３０、１４０と５水準変化させてキャリアのコア粒子を作成し、それぞれにフッ素変性シリコーン樹脂、フッ素変性アクリル樹脂、ジメチルシリコーン樹脂、アクリル樹脂をコーティングした計２０種類のキャリアサンプルを作成した。なお、形状係数ＳＦ値は、画像解析装置により、光学顕微鏡による各トナー粒子の投影面積（Ａ）と最大長（ＭＬ）から、下記の（数２）により算出した。実際には５００個を計測後に平均値を求めた。
【００３８】
【数２】
2005352227.tif 000004
【００３９】
ゴーストの評価は、副走査方向の長さが現像スリーブ２６Ｍの１周分に相当する１４×３．１４／１．１４＝３９ｍｍの１００％ｄｕｔｙベタパッチを印字した直後の２５％ｄｕｔｙハーフトーン画像の画像濃度と、何も印字しなかった場合の２５％ｄｕｔｙハーフトーン画像の画像濃度の差で行った。上記の画像濃度差ΔＩＤが、マクベス社製反射濃度計ＲＤ９１４で０．０３以下である場合、画像品質上問題とならないため、その値をゴースト評価の判定基準とした。スクリュー目状の濃度ムラについては、２５％ｄｕｔｙハーフトーン画像を用紙全面に印字して、目視により合否判定を行った。各色トナーの特性の違いを考慮して、ゴースト、スクリュー目状の濃度ムラともシアン、マゼンタ、イエロー、ブラックの全色について評価を行った。
【００４０】
評価結果を（表１）乃至（表４）に示す。（表１）はキャリアのコート剤がフッ素変性シリコーン樹脂の場合、（表２）はフッ素変性アクリル樹脂コートの場合、（表３）はジメチルシリコーン樹脂コートの場合、（表４）はアクリル樹脂の場合を示しており、ゴーストの評価に用いた前述の画像濃度差ΔＩＤが０．０３以下の場合は○、０．０３よりも大きい場合は×で示してある。スクリュー目状の濃度ムラについては、目視評価でスクリュー目状の濃度ムラが確認されなかった場合は○、確認された場合は×で示してある。
【００４１】
【表１】
2005352227.tif 000005
【００４２】
【表２】
2005352227.tif 000006
【００４３】
【表３】
2005352227.tif 000007
【００４４】
【表４】
2005352227.tif 000008
【００４５】
以上の結果から、第二搬送スクリュー１７Ｍの回転軸と現像スリーブ２６Ｍの回転軸の距離ｄが２５ｍｍ以内で、形状係数ＳＦ値が１１０以下でフッ素変性シリコーン樹脂またはフッ素変性アクリル樹脂をコーティングしたキャリアを用いれば、ゴーストが発生しない均一な画像が得られ、かつスクリュー目状の濃度ムラも発生しないことがわかった。
【００４６】
以上の結果は以下のようにして説明することができる。ゴーストの改善については、搬送スクリューを現像スリーブに近接させることにより、剥離領域付近での現像剤の除去搬送効果が向上したこと、及び、フッ素変性シリコーン樹脂またはフッ素変性アクリル樹脂のような低表面エネルギーで低摩擦係数の材料をキャリア表面にコーティングした場合、形状係数ＳＦ値が１１０以下になると急激に流動性が向上するが、これによってキャリア単体としての剥離性が向上したことの２点によるものであると考えられる。
【００４７】
スクリュー目状の濃度ムラの回避に関しても、形状係数ＳＦ値が１１０以下となり、現像剤の流動性が向上して流体としての特性が強くなると、現像剤の圧力が均一に伝播されるようになり、上述のように搬送スクリューと現像スリーブの距離を近づけても、搬送スクリューの形状による圧力ムラが発生しなかったと考えられる。
【００４８】
また、現像剤の流動性が悪い状態では、搬送スクリューの回転時に搬送スクリューの羽根の間に現像剤の詰まりが発生し、現像剤の搬送力が低下してしまうという現象があるが、上述のように現像剤の流動性が良好な状態では、このような現象は発生せず、安定した現像剤の搬送力、ひいては安定した現像剤の剥離性を実現することができる。実際に実験後の搬送スクリューの状態を観察した結果、キャリアの形状係数ＳＦ値が１１０以下で、フッ素変性シリコーン樹脂またはフッ素変性アクリル樹脂をコーティングしたキャリアを使用した場合は、スクリューの羽根間に付着した現像剤が極端に少ない状態であった。
【００４９】
第二搬送スクリュー１７Ｍの回転軸と現像スリーブ２６Ｍの回転軸の距離ｄに関しては、さらに実験を行ったところ、第二搬送スクリュー１７Ｍと現像スリーブ２６Ｍが最も近接する箇所の距離ｄ−Ｒ−ｒと第二搬送スクリュー１７Ｍの外径ｒの関係が現像剤の剥離性（ゴーストの発生）と関連していることがわかった。なお、Ｒは現像スリーブ２６Ｍの回転半径である。
【００５０】
図５は第二搬送スクリュー１７Ｍと現像スリーブ２６Ｍが最も近接する箇所の距離ｄ−Ｒ−ｒとゴースト（前述の画像濃度差ΔＩＤ）の関係を示した図である。このようにｄ−Ｒ−ｒが第二搬送スクリュー１７Ｍの外径ｒの２倍以下（ｄ−Ｒ−ｒ≦２ｒ）、即ち、第二搬送スクリュー１７Ｍの回転軸と現像スリーブ２６Ｍの回転軸の距離ｄが３ｒ＋Ｒ以下（ｄ≦３ｒ＋Ｒ）となると、画像濃度差が０．０３以下となり、ゴーストが改善されることがわかる。
【００５１】
以上の結果から、第二搬送スクリュー１７Ｍの回転軸と現像スリーブ２６Ｍの回転軸の距離ｄを２５ｍｍ、キャリアについては、形状係数ＳＦ値を１０５とし、フッ素変性シリコーン樹脂を表面にコーティングした構成とした。
【００５２】
なお、本発明ではキャリア表面のコーティング剤をフッ素変性シリコーン樹脂としたが、発明者らの実験によれば、フッ素変性アクリル樹脂でも同等の効果が得られた。
【００５３】
また、４色の画像形成ユニットを並列に配置したタンデム方式（１パス）のカラー画像形成装置を例として取り上げたが、現像剤搬送スクリューの回転軸、及び同極のマグネット対を配置した剥離領域が現像スリーブの回転軸よりも上側にある構成の、１個の感光体に４色の現像装置を配置した４パスのカラー画像形成装置やモノクロ画像形成装置であっても構わない。
【００５４】
また、本発明においては、２組の現像剤搬送スクリューが上下に配置され、現像装置内で現像剤を縦方向に循環する構成としたが、２組の現像剤搬送スクリューが水平に配置されて、現像剤の循環が水平に行われる場合であってもよい。
【００５５】
また、本発明において負帯電極性を有する有機積層型感光体を用いたが、電荷輸送層と電荷発生層が同一層となっている単層型有機感光体やａ−Ｓｉ材料を用いた構成の感光体等でも構わず、感光体自身の帯電極性も負帯電や正帯電のいずれでも構わない。形状についてもドラム形状でなくベルト形状であってもよい。
【００５６】
また、本発明においてはエピクロルヒドリンゴムからなる帯電ローラにＤＣ電圧を印加する方式を用いたが、正弦波または矩形波のＡＣ電圧を印加した方式であっても構わない。帯電ローラとしてウレタンゴム、シリコーンゴム、ＮＢＲゴム、アクリルゴム、フッ素ゴムなどを使用することができ、必要に応じて表面コート等の表面処理を行うことも可能である。また、従来から多く用いているワイヤー、グリッドを用いたスコロトロン方式や固体帯電素子を用いた方式でも構わない。
また、現像ローラに印加するバイアス電圧については、必要に応じて画像濃度等を調整しながらＤＣ電圧を５０〜６５０Ｖに設定することが望ましい。また、トナー移動の促進のために周波数１〜６ｋＨｚ、振幅０．２〜１０ｋＶ程度の矩形波や正弦波のＡＣ電圧を印加することによって更にトナー移動が容易となる。ＡＣ電圧の印加によって、必要画像濃度の確保、非画像部へのトナー付着の防止、微小ドット再現性の向上が実現できる。
また、本発明では現像ローラ内部のマグネットの個数を７個としたが、それ以外の複数個であっても構わない。現像スリーブについても、アルミ製で表面粗さＲｚが５μｍとしたが、他の非磁性材料を用いてもよい。表面粗さＲｚについては、画像の均一性と現像剤の搬送性の観点から、３〜１０μｍの範囲が望ましい。
また、本発明では、現像スリーブの回転方向を感光体ドラムの回転に対してウィズ方向としたが、カウンター方向の回転であってもよく、周速度比も１．１４でなくても構わない。現像ローラ、第一搬送スクリュー、第二搬送スクリューの外径、及び各搬送スクリューのスクリューピッチ、回転数に関しても、記載の値に限定されるものではない。
【００５７】
キャリアの真比重についても、上記の値に限定されるものではないが、高い流動性を得るという観点から、できるだけ真比重が小さいものがよく、４ｇ／ｃｃ以下であるのが望ましい。キャリアの体積平均粒径についても、上記の値である必要はなく、高画質化の観点から４０μｍ以下が望ましい。キャリアの飽和磁化に関しても、現像スリーブからの良好な剥離性とソフトな磁気ブラシの実現という観点から、できるだけ小さい値が望ましいが、感光体ドラムへのキャリア飛びも考慮して決定しなければならない。
【００５８】
（実施の形態２）
図６はスクリューの回転軸からの距離と、現像剤の単位断面積、単位時間当りの搬送量の関係をスクリューの外側の範囲について示した図である。キャリアは形状係数ＳＦ値１０５で表面にフッ素シリコーン樹脂をコーティングしたものを用いた。図６からわかるように、現像剤の搬送量は搬送スクリューの回転軸から遠ざかるほど低下し、搬送スクリューの回転半径とも関連していることがわかる。
【００５９】
また、図７は剥離領域付近の現像剤搬送量とゴースト（前述の画像濃度差ΔＩＤ）の関係を示した図である。この結果から、剥離領域での現像剤の搬送量が１ｇ／ｃｍ2／ｓ以上になると、さらにゴーストが改善されることがわかる。これは、一旦剥離された現像剤が剥離領域下流のマグネットの磁力によって現像スリーブに再付着するのを完全に防止するためには、現像剤の流れが１ｇ／ｃｍ2／ｓ以上必要であることを意味している。
したがって、実施の形態１において、例えば第二搬送スクリュー１７Ｍの回転軸と現像スリーブ２６Ｍの回転軸の距離ｄを１６ｍｍと近距離にすることによって、さらにゴースト発生のない均一な画像を得ることができる。また、このように第二搬送スクリュー１７Ｍの回転軸と現像スリーブ２６Ｍの回転軸が近距離でも、高流動性のキャリアを使用しているため、スクリュー目状の濃度ムラも発生しない。
【００６０】
（実施の形態３）
実施の形態１のキャリアの２ｋＶ／ｃｍの電界における体積抵抗抵抗値を、１×１０６、１×１０８、１×１０１０、１×１０１２、１×１０１４、１×１０１６Ω・ｃｍと５水準変化させて、ゴーストの評価を行った結果を図８に示す。体積抵抗１×１０１０Ω・ｃｍ以下になると、さらに前述の画像濃度差ΔＩＤが小さくなり、反射濃度計の測定値においてもΔＩＤがほぼゼロとなり、均一な画像が得られることがわかった。また、スクリュー目状の濃度ムラの発生もなかった。
【００６１】
これはトナーとの摩擦帯電により発生した電荷がキャリアに蓄積しないため、現像スリーブに対するキャリアの鏡像力が低減され、剥離性が良好となった結果である。また、搬送スクリューなどの現像装置内の各部材に対するキャリアの鏡像力も低減され、各部材周辺での現像剤の凝集や滞留が防止できるので、スムーズな現像剤の流れを作ることができ、剥離領域での現像剤の良好な除去搬送を行うことができる。また、搬送スクリューのよる圧力ムラも発生しにくくなる。
【００６２】
（実施の形態４）
実施の形態１の構成において、熱硬化性のフェノール樹脂１２重量％をバインダーとして、平均粒径０．２μｍのマグネタイト８８重量％を分散させ、平均粒径を３５μｍとし、さらに、キャリア表面をフッ素変性シリコーン樹脂でコート処理を行った樹脂キャリアを用いて評価を行った。このキャリアの２ｋＶ／ｃｍの電界における体積抵抗の測定を行ったところ、４×１０８Ω・ｃｍ、真比重は３．７ｇ／ｃｃ、磁場７９．５８ｋＡ／ｍにおける磁化は６０Ａｍ２／ｋｇであった。また、形状係数ＳＦ値を測定したところ、１０１と極めて真球に近い形状で、さらに電子顕微鏡によりキャリア表面の観察を行ったところ、極めて凹凸が少ない平滑な表面形状であることがわかった。
【００６３】
このキャリアを用いてゴーストの評価を行ったところ、前述の画像濃度差ΔＩＤが０．０１以下とさらに小さくなり、画像濃度均一性が極めて良好な画像が得られた。また、スクリュー目状の濃度ムラも発生しなかった。
【００６４】
これは、キャリアのＳＦ値が１０１と極めて真球に近く、また表面も極めて平滑な状態であるため、現像剤の流動性と離型性が良好となり、現像スリーブからの剥離性が極めて良好となることによる。また、現像剤の高流動性からスクリュー目状の濃度ムラも発生しない。
【００６５】
なお、樹脂キャリアの熱硬化性バインダーとしては、フェノール樹脂以外に尿素樹脂、メラミン樹脂、ポリエステル樹脂、エポキシ樹脂等が用いることができる。熱硬化性樹脂は、熱可塑性樹脂に比べ、耐久性、耐衝撃性、耐熱性に優れているので、これらの利点を生かした磁性体と熱硬化性樹脂とからなる樹脂キャリアが望まれる。
【００６６】
また、本発明に用いる強磁性鉄化合物粒子粉末としては、マグネタイト、マグヘマイト等の強磁性酸化鉄粒子粉末、鉄以外の金属（Ｍｎ，Ｎｉ，Ｚｎ，Ｍｇ，Ｃｕ等）を一種又は二種以上含有するスピネルフェライト粒子粉末、バリウムフェライト等のマグネトプランバイト型フェライト粒子粉末、表面に酸化被膜を有する鉄や鉄合金の微粒子粉末を用いることができる。好ましくはマグネタイト等の強磁性酸化鉄粒子粉末である。前記強磁性鉄化合物粒子の粒径は、０．０２〜５μｍであることが望ましい。その形状は、粒状、球状、針状のいずれであってもよい。さらに、熱硬化樹脂中の磁性体添加量は５０〜９０重量％が望ましい。９０重量％を越えると樹脂中への分散が困難になり磁性体が離脱する。一方、５０重量％に満たない場合、キャリアの磁気力が小さくなりトナー保持部材へキャリアが付着しやすくなる問題が発生する。
【００６７】
また、キャリア表面のコーティング剤については、フッ素変性アクリル樹脂を用いることもできる。
【００６８】
（実施の形態５）
実施の形態１において、トナーの形状係数ＳＦ値とゴーストとスクリュー目状の濃度ムラの関係を調べるために、粉砕、分級工程を経た後の形状係数ＳＦ値１６０のトナー母体を、サフュージング装置（日本ニューマチック製）を用いて３５０度、２９０度、２３０度、２００度、処理無しの５条件で熱を利用して球形化処理を行った。それぞれの条件で球形化処理されたトナーの形状係数ＳＦ値は１０２、１２０、１３９、１４８、１６２となり、これらのトナーを用いて実験を行った。なお、キャリアはフッ素変性シリコーン樹脂を表面にコーティングしたものを用いている。図９はトナーの形状係数ＳＦ値とゴースト発生状況（前述の画像濃度差ΔＩＤ）の関係を示しており、形状係数ＳＦ値が１４０以下になると、ΔＩＤがほぼゼロとなり、さらに均一な画像が得られることがわかる。また、スクリュー目状の濃度ムラの発生もなかった。
【００６９】
また、形状係数ＳＦ値が１２０のトナーにおいて、実施の形態１の場合と同様に、第二搬送スクリュー１７Ｍの回転軸と現像スリーブ２６Ｍの回転軸の距離ｄ、及びキャリアの形状係数ＳＦ値をパラメータとして、ゴーストとスクリュー目状の濃度ムラの評価を行ったところ、（表５）に示すようにゴーストとスクリュー目状の濃度ムラの裕度が広がる結果となった。
【００７０】
【表５】
2005352227.tif 000009
【００７１】
以上はトナーの形状係数ＳＦ値を１４０以下とすることによって、トナーが真球に近づいて現像剤の流動性がさらに良好となり、現像スリーブからの剥離性が向上していることを示している。また、現像剤の高流動性により、搬送スクリューによる圧力ムラも低減され、スクリュー目状の濃度ムラの裕度も拡大している。
【００７２】
さらにゴーストの発生状況の経時特性を調べたところ、図１０に示すようにトナーの形状係数ＳＦ値が１４８の場合は、６０ｋ枚印字後で画像濃度差ΔＩＤが０．０４に達してゴーストがＮＧとなるのに対し、形状係数ＳＦ値が１２０の場合は８０ｋ枚までゴースト発生の無い均一な画像が得られた。
【００７３】
これは、現像剤の高流動性により搬送スクリューの羽根の間への現像剤の詰まりが発生しなくなったことにより、剥離領域での良好な除去搬送を維持できたことと、トナーの形状が真球に近い為、攪拌時のキャリアへのストレスが少なくキャリアのコート剤の剥がれが発生せず、コート剤の作用による高流動性、高離型性を維持できたことによるものである。実際に、８０ｋ枚印字後のキャリアの表面を電子顕微鏡により観察したところ、ＳＦ値が１４８の場合はコート剤の剥がれが顕著だったのに対して、ＳＦ値が１２０の場合はコート剤の剥がれがほとんど見られなかった。
【００７４】
なお、本発明においてトナーの真球度を高める方法として熱処理方法を用いたが、トナー母体を作成する方法として、懸濁重合法、乳化重合法等の化学重合法を用いても構わない。
【００７５】
（実施の形態６）
実施の形態１におけるトナーに外添剤として、ステアリン酸亜鉛を１．５重量％添加して、実施の形態１と同様にゴーストとスクリュー目状の濃度ムラの評価を行った。実施の形態１との比較を行う為に、キャリアはフッ素変性シリコーン樹脂を表面にコーティングしたものを用いており、トナーの形状係数ＳＦ値も１４８とした。結果を（表６）に示す。
【００７６】
【表６】
2005352227.tif 000010
【００７７】
また、トナーにステアリン酸亜鉛を添加しない場合（実施の形態１）と、添加した場合（本実施の形態６）のゴーストの経時特性を図１１に示す。ステアリン酸亜鉛を添加しなかった場合は、６０ｋ枚印字後で前述の画像濃度差ΔＩＤが０．０４に達し、ゴーストがＮＧとなるのに対し、ステアリン酸亜鉛を添加した場合は、８０ｋ枚においてもΔＩＤが０．０２で、ゴーストの無い均一な画像が得られた。
【００７８】
以上の結果は、トナーにステアリン酸亜鉛を添加することによって、トナーが潤滑剤としての機能を発揮して、トナーの形状係数ＳＦ値の場合と同様に現像剤の流動性が良好となり、現像スリーブからの剥離性が向上しているためと考えられる。また、現像剤の流動性が向上することにより、搬送スクリューによる圧力ムラも低減され、スクリュー目状の濃度ムラの裕度も拡大する。
【００７９】
現像剤の剥離性（耐ゴースト）の経時安定性は、現像剤の流動性向上により、搬送スクリューへの現像剤の詰まりを防止できたことと、トナーの潤滑剤としての機能によりキャリアのコート剤剥がれを防止できたことで現像剤の高い流動性を長期にわたって維持できたことによって達成されている。
【００８０】
なお、本発明においてトナーの潤滑剤としての機能を高める方法として、ステアリン酸亜鉛を添加したが、他に、ステアリン酸カルシウム、ステアリン酸アルミニウム、ステアリン酸マグネシウムの金属石けんを少なくとも一つ以上トナー中に含む構成としても構わない。
【産業上の利用可能性】
【００８１】
本発明の縦型循環現像装置は、複写機、ファクシミリ、レーザプリンタ等の電子写真方式の画像形成装置に適用が可能である。
【図面の簡単な説明】
【００８２】
【図１】本発明の実施の形態１における画像形成装置の概略を示す要部断面図
【図２】本発明の実施の形態１における画像形成ユニットの概略を示す要部断面図
【図３】本発明の実施の形態１における現像装置の概略を示す斜視図
【図４】図２の現像装置を矢印Ａ方向から示した要部断面図
【図５】ｄ−Ｒ−ｒと画像濃度差の関係を示す図
【図６】スクリュー回転軸からの距離と現像剤搬送量の関係を示す図
【図７】現像剤搬送量と画像濃度差の関係を示す図
【図８】本発明の実施の形態３におけるキャリア抵抗値と画像濃度差の関係を示す図
【図９】本発明の実施の形態５のおけるトナーの形状係数ＳＦ値と画像濃度差の関係を示す図
【図１０】本発明の実施の形態５における画像濃度差の経時特性を示す図
【図１１】本発明の実施の形態６における画像濃度差の経時特性を示す図
【符号の説明】
【００８３】
１Ｍ    感光体ドラム
４Ｍ    現像ローラ
８Ｍ    現像装置
１３Ｍ    仕切り壁
１４Ｍ    第一現像剤搬送路
１５Ｍ    第二現像剤搬送路
１６Ｍ    張り出し部
１７Ｍ    第二搬送スクリュー
１９Ｍ    第一搬送スクリュー
２３Ｍ    トナー濃度センサー
２４Ｍ    トナー補給口
２５Ｍ    穂切り軸
２６Ｍ    現像スリーブ
【図１】
2005352227.tif 000012
【図２】
2005352227.tif 000013
【図３】
2005352227.tif 000014
【図４】
2005352227.tif 000015
【図５】
2005352227.tif 000016
【図６】
2005352227.tif 000017
【図７】
2005352227.tif 000018
【図８】
2005352227.tif 000019
【図９】
2005352227.tif 000020
【図１０】
2005352227.tif 000021
【図１１】
2005352227.tif 000022